(57)【特許請求の範囲】
【請求項１】
足場板本体にハッチを設けると共に、このハッチを開閉する作業床を足場板横断方向に沿って開閉するように足場板本体に枢着してなる足場板において、前記作業床の開閉方向前後に足場板本体に対し着脱可能な枢着部を設け、前後何れか一方の枢着部を脱出状態に、他方の枢着部を枢着状態に維持することによって、前記作業床を開閉方向前後の何れからも開閉可能に枢着してなる足場板。
【請求項２】
前記各枢着部は、足場板本体の長手方向側端部に沿った作業床の前後各端部に、同軸上で互いに独立してスライド自在に配置された一対の枢軸用ロッドからなり、両枢軸用ロッドは、各ロッドの外端部が作業床の左右両端から常時突出するようにバネによって付勢されており、両枢軸用ロッドの突出端部が足場板本体側のロッド支持穴に突入することによって枢着状態となり、両枢軸用ロッドの内端部に夫々設けられた操作用把持部を前記バネの付勢力に抗して引き寄せることにより、両枢軸用ロッドの突出端部が前記ロッド支持穴から脱出して脱出状態となる請求項１に記載の足場板。
【請求項３】
前記各枢軸用ロッドの外端部には夫々係合斜端面が形成されていて、前後何れか一方の枢着部を枢着状態にし、他方を脱出状態にして、作業床を開放状態から閉鎖する時に、前記他方の枢着部を構成する枢軸用ロッドの係合斜端面を、前記ロッド支持穴の入口部に対しその上方から押し付けることにより、その係合斜端面の楔作用で両枢軸用ロッドが前記バネに抗し引き寄せられてロッド支持穴に突入し、作業床を閉鎖位置にロックするようになっている請求項２に記載の足場板。
【請求項４】
前記操作用把持部は、各枢軸用ロッドの内端部をコ字状に折り返して形成されたものからなる請求項２又は３に記載の足場板。
【請求項５】
前記作業床には、各枢着部を構成する両枢軸用ロッドの操作用把持部が配設されている部分に指挿入用開口部が開口形成されている請求項２〜４の何れかに記載の足場板。
【請求項６】
前後何れか一方の枢着部を枢着状態にし、他方を脱出状態にして、開放した作業床を起立姿勢に保持するための起立姿勢保持手段が設けられてなる請求項１〜５の何れかに記載の足場板。
【請求項７】
前記起立姿勢保持手段は、前記各枢軸用ロッドの内側に隣接してそれと平行に配置され、先端部が球面状に形成されたストッパーピンからなるもので、バネにより作業床の左右両端から突出するように付勢されていて、開放した作業床が起立姿勢にある時は、枢着状態にある枢軸用ロッドに隣接した方のストッパーピンの先端部が足場板本体側の上面部に支持されて、作業床を起立姿勢に保持し、この作業床を倒して閉鎖する時は、枢着状態にある枢軸用ロッドに隣接したストッパーピン及び脱出状態にある枢軸用ロッドに隣接したストッパーピンの何れもが、その先端部の楔作用でバネに抗して後退し、足場板本体側に設けてある係合孔に係脱可能に係合するようになっている請求項６に記載の足場板。
【発明の詳細な説明】
【０００１】
【発明の属する技術分野】
本発明は、仮設足場に使用される足場板に関するもので、更に詳しくは、足場板本体にハッチを設けると共に、このハッチを開閉する作業床を足場板本体の横断方向に沿って開閉するように足場板本体に枢着してなる足場板に関する。
【０００２】
【従来の技術及びその課題】
図１３は移動式仮設足場を示す。この仮設足場は、建枠Ｋを利用して、足場板１を複数枚ずつ、上下方向に階層状、例えば４階層に配設してなるもので、作業場となる最上階には３枚の足場板１を並設し、１階〜３階の各階には２枚の足場板１を並設して、その端側に足場板１枚分の空間部Ｓを形成し、最上階の端側の足場板１には足場板本体２の全域に開口するハッチ３が設けられていると共に、このハッチ３を開閉する作業床４が足場板本体２の横断方向（幅方向）に沿って開閉するように足場板本体２に枢着されている。１〜３階の各階の空間部Ｓは、下階と上階とで互いに反対側の位置に設け、２階の空間部Ｓから１階の足場板１上に梯子５を設け、また３階の空間部Ｓから２階の足場板１上に梯子５を設け、最上階では端側にある足場板１のハッチ３から４階の足場板１上に梯子５を設けている。この仮設足場を使用する時は、作業者が１階から最上階まで昇る際に作業床４を開けて、ハッチ２から最上階に上がり、作業床４を閉じて、この最上階の足場板１上で作業を行う。
【０００３】
ところで、従来のハッチ３付き足場板１では、ハッチ３を開閉する作業床４の枢着部が足場板本体２に対し固定的に設けられて、作業床４をその開閉方向前後の一方側からしか開けることができないため、足場の組立に際しては、常にハッチ３付き足場板１の設置方向を考えながら組立作業を行う必要がある。即ち、図１３に示す例では、ハッチ３付き足場板１は、その作業床４の枢着端部側が最上階の全床面の端に位置するように設置されていて、作業者が最上階へ昇る時は、ハッチ３からそのまま隣の足場板１上に乗れるが、その作業床４の枢着端部が図示例と反対側に位置するように設置されておれば、最上階へ昇る時、作業者は、起立姿勢の作業床４を跨いで乗り越えなければならなくなる不都合がある。
【０００４】
本発明は、上記のような問題に鑑み、足場板本体に設けられたハッチを開閉する開閉可能な作業床を、開閉方向前後の何れからも開閉できるようにし、もってハッチ付き足場板の設置作業にあたり、設置方向を一々考える必要がなく、その作業を簡単容易に行える足場板を提供することを目的とする。
【０００５】
【課題を解決するための手段】
請求項１に係る発明は、足場板本体２にハッチ３を設けると共に、このハッチ３を開閉する作業床４を足場板横断方向に沿って開閉するように足場板本体２に枢着してなる足場板において、前記作業床４の開閉方向前後に足場板本体２に対し着脱可能な枢着部８，９を設け、前後何れか一方の枢着部９を脱出状態に、他方の枢着部８を枢着状態に維持することによって、前記作業床４を開閉方向前後の何れからも開閉可能に枢着してなることを特徴とする。
【０００６】
請求項２は、請求項１に記載の足場板において、前記各枢着部８，９は、足場板本体２の長手方向側端部に沿った作業床４の前後各端部に、同軸上で互いに独立してスライド自在に配置された一対の枢軸用ロッド１３，１３からなり、両枢軸用ロッド１３，１３は、各ロッド１３の外端部１３ａが作業床４の左右両端から常時突出するようにバネ１４によって付勢されており、両枢軸用ロッド１３，１３の突出端部１３ａ，１３ａが足場板本体２側のロッド支持穴１５，１５に突入することによって枢着状態となり、両枢軸用ロッド１３，１３の内端部に夫々設けられた操作用把持部１３ｂ，１３ｂを前記バネ１４の付勢力に抗して引き寄せることにより、両枢軸用ロッド１３，１３の突出端部１３ａ，１３ａが前記ロッド支持穴１５，１５から脱出して脱出状態となることを特徴とする。
【０００７】
請求項３は、請求項２に記載の足場板において、前記各枢軸用ロッド１３の外端部１３ａには夫々係合斜端面２１が形成されていて、前後何れか一方の枢着部８を枢着状態にし、他方９を脱出状態にして、作業床４を開放状態から閉鎖する時に、前記他方の枢着部９を構成する枢軸用ロッド１３，１３の係合斜端面２１，２１を、前記ロッド支持穴１５，１５の入口部に対しその上方から押し付けることにより、その係合斜端面２１，２１の楔作用で両枢軸用ロッド１３，１３が前記バネ１４，１４に抗し引き寄せられてロッド支持穴１５，１５に突入し、作業床４を閉鎖位置にロックするようになっていることを特徴とする。
【０００８】
請求項４は、請求項２又は３に記載の足場板において、前記操作用把持部１３ｂは、各枢軸用ロッド１３の内端部をコ字状に折り返して形成されたものからなることを特徴とする。
【０００９】
請求項５は、請求項２〜４の何れかに記載の足場板において、前記作業床４には、各枢着部８，９を構成する両枢軸用ロッド１３，１３の操作用把持部１３ｂ，１３ｂが配設されている部分に指挿入用開口部２０，２０が開口形成されていることを特徴とする。
【００１０】
請求項６は、請求項１〜５の何れかに記載の足場板において、前後何れか一方の枢着部８を枢着状態にし、他方９を脱出状態にして、開放した作業床４を起立姿勢に保持するための起立姿勢保持手段２４が設けられてなることを特徴とする。
【００１１】
請求項７は、請求項６に記載の足場板において、前記起立姿勢保持手段２４は、前記各枢軸用ロッド１３の内側に隣接してそれと平行に配置され、先端部が球面状に形成されたストッパーピン２５からなるもので、バネ２６により作業床４の左右両端から突出するように付勢されていて、開放した作業床４が起立姿勢にある時は、枢着状態にある枢軸用ロッド１３に隣接した方のストッパーピン２５の先端部２５ａが足場板本体２側の上面部に支持されて、作業床４を起立姿勢に保持し、この作業床４を倒して閉鎖する時は、枢着状態にある枢軸用ロッド１３に隣接したストッパーピン２５及び脱出状態にある枢軸用ロッド１３に隣接したストッパーピン２５の何れもが、その先端部２５ａの楔作用でバネ２６に抗して後退し、足場板本体２側に設けてある係合孔２７に係脱可能に係合するようになっていることを特徴とする。
【００１２】
【発明の実施の形態】
図１は、足場板１が上下に複数階層状に設けられた仮設足場を示したもので、上下の足場板１どうしを梯子５でつなぎ且つ各足場板１に梯子５からの出入口となるハッチ３を設けると共に、このハッチ３を開閉する作業床４を設けている。図２は作業床４が閉鎖位置ある状態を示す足場板１の斜視図であり、図３は作業床４が開放位置ある状態での同足場板１の斜視図、図４は同足場板１の作業床４部分の拡大平面図である。また図５は同足場板１の作業床４部分の拡大底面図、図６は図５の一部拡大図である。
【００１３】
上記足場板１の構造について説明すると、足場板本体２の両端部には、足場用建枠の横材６に係止される係止フック７が突設されており、この足場板本体２の一端部側にハッチ３が設けられると共に、このハッチ３を開閉する作業床４が、足場板１を横断するような方向に沿って開閉するように足場板１に枢着されている。そして、作業床４にはその開閉方向前後に、足場板本体２に対し着脱可能な枢着部８，９が設けられていて、その前後何れか一方の枢着部８又は９を脱出状態に、他方の枢着部９又は８を枢着状態に維持することにより、作業床４が開閉方向前後の何れからも開閉可能に足場板本体２に枢着されるようになっている。図３では、枢着部８が枢着状態、枢着部９が脱出状態となっている。
【００１４】
図３及び図５に示すように、足場板本体２に設けてあるハッチ３内には、その前後各側縁部の両端側に梯子取付用ブラケット２９，３０が配設され、各ブラケット２９，３０には梯子５の両側面から突出する梯子取付用の係止ピン１１，１２（図１参照）が突入可能なピン孔ａ，ｂが設けられている。図１に示す仮設足場では、これらのブラケット２９，３０及び係止ピン１１，１２を利用して、図示のように夫々所要位置に梯子５が取り付けられる。
【００１５】
作業床４の開閉方向前後に設けられた両枢着部８，９は、同じ構造であって、各枢着部８，９は、図５及び図６から分かるように、足場板本体の長手方向側端部に沿った作業床の前後各端部に、同軸上で互いに独立してスライド自在に配置された一対の枢軸用ロッド１３，１３からなり、両枢軸用ロッド１３，１３は、各ロッド１３の外端部１３ａが作業床４の左右両端から常時突出するようにコイルバネ１４により付勢されており、両枢軸用ロッド１３，１３の突出端部１３ａ，１３ａが、足場板本体２側に設けられたロッド支持穴１５，１５（図７参照）に夫々突入することによって枢着状態となり、両枢軸用ロッド１３，１３の内端部に夫々設けられた操作用把持部１３ｂ，１３ｂをコイルバネ１４，１４の付勢力に抗して引き寄せることにより、両枢軸用ロッド１３，１３の突出端部１３ａ，１３ａがロッド支持穴１５，１５から夫々脱出して脱出状態となるようになっている。このように構成される枢着部８，９は、構造が簡単で、製作が容易となる上、枢着部８，９を枢着状態と脱出状態に切り換える操作が簡単となる。
【００１６】
各枢着部８，９を構成する一対の枢軸用ロッド１３，１３の各ロッド１３は、足場板本体２に取り付けられたスライド支持部材１６，１７によってスライド自在に支持されている。そして、各枢軸用ロッド１３の内端部に設けられた操作用把持部１３ｂは、このロッド１３の内端部をコ字状に折り返して形成されたもので、図６に示すように、コ字状折り返し部分の先端部に取着された固定ピン１８とスライド支持部材１６の一端面との間にコイルバネ１４が嵌装され、このコイルバネ１４によって各ロッド１３が各ロッド１３の外端部１３ａが作業床４の左右各端から突出付勢されると共に、その突出長さが、スライド支持部材１６の他端面に当接する固定ピン１９によって制限されるようになっている。
【００１７】
従って、各枢着部８，９を足場板本体２に対して脱出状態にする時は、両枢軸用ロッド１３，１３の操作用把持部１３ｂ，１３ｂを、図６の矢印で示すようにコイルバネ１４，１４の付勢力に抗して引き寄せると、両枢軸用ロッド１３，１３の突出端部１３ａ，１３ａが足場板本体２のロッド支持穴１５，１５から夫々脱出して脱出状態となる。この場合、作業床４を形成する床板４ａには、図６に示すように、両枢軸用ロッド１３，１３の操作用把持部１３ｂ，１３ｂが配設されている部分に指挿入用開口部２０が開口形成されているから、作業床４の表側及び裏側の何れからでも指を挿入させて、操作用把持部１３ｂ，１３ｂを簡単容易に引き寄せ操作することができる。
【００１８】
また、図７の（Ａ）及び（Ｂ）に示すように、各枢軸用ロッド１３の外端部１３ａには夫々係合斜端面２１が形成されていて、前後両枢着部８，９の何れか一方、例えば枢着部８を枢着状態にし、他方の枢着部９を脱出状態にして、作業床４を開放状態から閉鎖する時に、他方の枢着部９を構成する枢軸用ロッド１３の係合斜端面２１を、図７の（Ａ）に示すように足場板本体２側に設けられたロッド支持穴１５の入口部に対しその上方から押し付けることにより、その係合斜端面２１の楔作用で枢軸用ロッド１３が前記コイルバネ１４に抗し引き寄せられて同図の（Ｂ）に示すように当該ロッド１３の外端部１３ａがロッド支持穴１５に突入し、作業床４を閉鎖位置に自動的にロックするようになっている。
【００１９】
実際の使用に際しては、一方の枢着部８を枢着状態にし、他方の枢着部９を脱出状態にした作業床４を、図３に示すように起立した状態から閉じる方向に押し倒せば、枢着部９側にある両枢軸用ロッド１３，１３の突出端部１３ａ，１３ａがその係合斜端面２１，２１によりロッド支持穴１５，１５に突入して、閉鎖位置に自動的にロックされることになる。尚、各枢軸用ロッド１３の外端部（突出端部）１３ａが突入して支持されるロッド支持穴１５は、図７及び図１０に示すように、ハッチ３を形成する横枠２２の内側凹段部２２ａ所要位置に固定されたナット部材２３に同心状形成された穴からなる。
【００２０】
また、作業床４を図３に示すように開放して起立した姿勢に保持するための起立姿勢保持手段２４が設けられている。この起立姿勢保持手段２４は、図３〜図６、及び図８〜図１１に示すように、各枢着部８，９を構成する各枢軸用ロッド１３の内側に隣接してそれと平行に配置され、先端部２５ａが丸く球面状に形成されたストッパーピン２５からなるもので、コイルバネ２６により作業床４の左右両端から突出するように付勢されていて、図１０に示すように開放した作業床４が起立姿勢にある時は、枢着状態にある枢軸用ロッド１３に隣接した方のストッパーピン２５の先端部２５ａが、図８の実線図示のように足場板本体２の横枠２２の上面に支持されて、作業床４が起立姿勢に保持されることになる。
【００２１】
また、こうして起立姿勢に保持された作業床４を倒して閉鎖する時は、上記のストッパーピン２５（枢着状態にある枢軸用ロッド１３に隣接した方のストッパーピン２５）及び脱出状態にある枢軸用ロッド１３に隣接した方のストッパーピン２５の何れもが、夫々の先端球状部２５ａの楔作用により、図８の仮想線図示のようにコイルバネ２６に抗して後退して、足場板本体２側に設けてある係合孔２７に係脱可能に係合するようになっている。つまり、起立姿勢にある作業床４を閉鎖方向に押し倒せば、ストッパーピン２５による作業床４の保持が自動的に解除されて、この作業床４が閉鎖されることになる。
【００２２】
尚、各ストッパーピン２５は、図８〜図１１に示すように、枢軸用ロッド１３を支持しているスライド支持部材１７にスライド自在に支持されていて、このスライド支持部材１７の一端面とストッパーピン２５の所要部との間に介装されたコイルバネ２６によって作業床４の左右端面から突出付勢されていると共に、ストッパーピン２５に取り付けられてスライド支持部材１７の他端面に当接する固定ピン２８によって突出長さが制限されている。
【００２３】
図１２の（Ａ）及び（Ｂ）は、上述したような構成よりなる足場板１における作業床４の作用を分かりやすく図示したものである。作業床４の開閉方向前後に設けてある枢着部８，９が何れも足場板本体２に対し枢着状態にあって、作業床４が閉鎖位置にある状態を（Ａ）及び（Ｂ）の仮想線で示す。
【００２４】
両枢着部８，９がいずれも枢着状態に維持されて閉鎖位置にある作業床４を、例えば図１２の（Ａ）に示すように、枢着部９側から開放させる時には、この枢着部９側における両枢軸用ロッド１３，１３の操作用把持部１３ｂ，１３ｂを把持して引き寄せると、両枢軸用ロッド１３，１３の突出端部１３ａ，１３ａが足場板本体２側のロッド支持穴１５，１５から脱出するから、この作業床４の枢着部９側を引き起こして同図（Ａ）の実線図示のような起立姿勢にすればよい。
【００２５】
こうして作業床４を起立させると、作業床４は起立姿勢保持手段２４によって起立姿勢に保持される。即ち、枢着状態にある枢着部８の各枢軸用ロッド１３に隣接した方のストッパーピン２５の先端部２５ａが、図１０に示すように足場板本体２の横枠２２の上面に支持されて、作業床４が起立姿勢に保持される。このように作業床４が起立姿勢に保持されるから、ハッチ３を昇り降りする際に作業床４が倒れることがなく、安全となる。
【００２６】
図１２の（Ａ）の実線で示すように起立姿勢に保持されている作業床４を、閉鎖方向に倒せば、保持手段２４による作業床４の起立姿勢の保持が解除されて、作業床４は、同図（Ａ）の仮想線図示のように閉じてハッチ３を閉鎖すると共に、この閉鎖位置に自動ロックされる。即ち、起立姿勢にある作業床４を閉じる方向に押し倒せば、図７によって説明したように、枢着部９側にある両枢軸用ロッド１３，１３の突出端部１３ａ，１３ａがその係合斜端面２１，２１によりロッド支持穴１５，１５に突入して、閉鎖位置に自動的にロックされる。
【００２７】
このように、作業床４の開放時には、この作業床４を起立姿勢にするだけで、自動的に作業床４を起立姿勢に保持させることができ、また作業床４を強制的に倒せば、保持手段２４による作業床４の起立姿勢の保持が解除されるから、起立姿勢保持及びその保持解除のための操作が一切不要で、非常に便利である。
【００２８】
閉鎖位置にロックされている作業床４を、今度は図１２の（Ｂ）に示すように反対側の枢着部８側から開放させる時は、この枢着部８側における両枢軸用ロッド１３，１３の操作用把持部１３ｂ，１３ｂを把持して引き寄せると、（Ａ）の場合と同様に、両枢軸用ロッド１３，１３の突出端部１３ａ，１３ａが足場板本体２側のロッド支持穴１５，１５から脱出するから、この作業床４の枢着部８側を引き起こして、（Ｂ）の実線図示のような起立姿勢にすればよい。こうして作業床４を起立させると、作業床４は起立姿勢保持手段２４によって起立姿勢に保持される。
【００２９】
また、作業床４をハッチ３から取り外す場合には、作業床４の一方側にある枢着部８の枢軸用ロッド１３，１３の操作用把持部１３ｂ，１３ｂと、他方側にある枢着部８の枢軸用ロッド１３，１３の操作用把持部１３ｂ，１３ｂとを同時に把持すれば、両方の枢着部８，９が足場板本体２に対して脱出状態となるから、そのまま引き上げることによって、作業床４をハッチ３から簡単容易に取り外しことができる。
【００３０】
以上説明したように、この足場板１によれば、作業床４をその開閉方向前後の何れからも開閉できるように枢着しているから、足場板１が上下に複数階層状に設けられた図１に示す仮設足場のように、各階ごとに作業床４の枢着部の位置が異なる場合であっても、各足場板１の設置にあたっては、足場板の方向を何も考えることなく設置すればよく、しかして足場板１の設置作業を終えた後に、各作業床４の枢着部の位置を任意に決めればよいから、足場板の設置作業を能率良く行うことができる。
【００３１】
以上の実施形態では、足場板本体２の一端部側にハッチ３が設けられた足場板１について説明したが、本発明の足場板は、図１３に示される足場板１のように、足場板本体２の全域に開口するハッチ３が設けられていてもよい。
【００３２】
【発明の効果】
請求項１に係る発明によれば、足場板の足場板本体に設けたハッチを開閉する作業床をその開閉方向前後の何れからも開閉できるように枢着しているから、ハッチ付き足場板の設置作業にあたって、足場板の設置方向を一々考える必要がなく、足場板の設置作業を簡単容易に行うことができ、作業能率を向上できる。また、両方の枢着部を脱出状態とすることによって、作業床をハッチから取り外すことができる。
【００３３】
請求項２に係る発明によれば、枢着部の構造が簡単で、製作が容易になると共に、枢着部を枢着状態と脱出状態とに切り換える操作が簡単となり、また作業床をハッチから簡単に取り外すことができる。
【００３４】
請求項３に係る発明によれば、各枢軸用ロッドの外端部に夫々係合斜端面が形成されているから、起立姿勢にある作業床を閉じる方向に押し倒せば、枢着部側にある両枢軸用ロッドの突出端部がその係合斜端面により足場板本体側のロッド支持穴に突入して、作業床を閉鎖位置に自動的にロックすることができる。
【００３５】
請求項４に係る発明によれば、操作用把持部を把持し易く、両操作用把持部の引き寄せ操作が簡単となる。
【００３６】
請求項５に係る発明によれば、作業床の表側及び裏側の何れからでも指を挿入させて、操作用把持部を簡単容易に引き寄せ操作することができる。
【００３７】
請求項６に係る発明によれば、ハッチを昇り降りする際に作業床が倒れることがなく、安全性を確保できる。
【００３８】
請求項７に係る発明によれば、作業床の開放時には、この作業床を起立姿勢にするだけで、自動的に作業床を起立姿勢に保持させることができ、また作業床を強制的に倒せば、保持手段による作業床の起立姿勢の保持が解除されるから、起立姿勢保持及びその保持解除のための操作が一切不要で、非常に便利となる。
【図面の簡単な説明】
【図１】  足場板が上下に複数階層状に設けられた仮設足場を示す斜視図である。
【図２】  作業床が閉鎖位置ある状態を示す足場板の斜視図である。
【図３】  作業床が開放位置ある状態での同足場板の斜視図である。
【図４】  同足場板の作業床部分の拡大平面図である。
【図５】  同足場板の作業床部分の拡大底面図である。
【図６】  図５の一部拡大図である。
【図７】  （Ａ）は係合斜端面を形成した枢軸用ロッドの突出端部がロッド支持穴に突入する前段階を示す説明断面図、（Ｂ）は同枢軸用ロッドの突出端部が係合斜端面によりロッド支持穴に突入した状態示す説明断面図である。
【図８】  起立姿勢保持手段のストッパーピンによって作業床が起立姿勢に保持されている状態を示す縦断側面図である。
【図９】  起立姿勢保持手段のストッパーピンが足場板本体側の係合孔に係合している状態での足場板本体の一部切欠拡大平面図である。
【図１０】  図３の矢印Ｖで示す部分の拡大図である。
【図１１】  図３の矢印Ｗで示す部分の拡大図である。
【図１２】  図４のＸ−Ｘ線断面図で、（Ａ）は作業床を開閉方向前後両枢着部の一方側から開閉する場合の説明図、（Ｂ）は他方側から開閉する場合の説明図である。
【図１３】  従来技術を説明するために例示した移動式仮設足場の斜視図である。
【符号の説明】
１                      足場板
２                      足場板本体
３                      ハッチ
４                      作業床
５                      梯子
７                      係止フック
８，９                  枢着部
１３                    枢軸用ロッド
１３ａ                  突出端部
１４                    コイルバネ
１５                    ロッド支持穴
２０                    係合斜端面
２１                    係合斜端面
２４                    起立姿勢保持手段
２５                    ストッパーピン
２５ａ                  ストッパーピンの先端球状部
２６                    コイルバネ
２７                    係合孔
【図１】
0003820360.tif 000002
【図２】
0003820360.tif 000003
【図３】
0003820360.tif 000004
【図４】
0003820360.tif 000005
【図５】
0003820360.tif 000006
【図６】
0003820360.tif 000007
【図７】
0003820360.tif 000008
【図８】
0003820360.tif 000009
【図９】
0003820360.tif 000010
【図１０】
0003820360.tif 000011
【図１１】
0003820360.tif 000012
【図１２】
0003820360.tif 000013
【図１３】
0003820360.tif 000014